(57)【要約】【課題】お客により使用される部分を装置本体の正面側に配置し、店員により使用される部分を装置本体の背面側に配置し、店員と客が対面しつつ使用するのに特に適した物品取出装置を提供する。【解決手段】物品取出装置１は、物品Ａを収納する物品収納室３と、動力伝達手段９５及びコインセレクター１００を収納する管理室５とを有する。物品収納室３の底壁６には、物品Ａを物品取出口７２に送り出すための回転盤３６が設けられている。装置本体２の正面には、物品取出口７２、回転盤３６を回転させる操作部８１、コイン挿入口１０２が設けられている。装置本体２の背面には、動力伝達手段９５を管理すると共にコイン収容ケース１１５を引き出すことができる管理用開口６０と、物品収納室３の物品Ａを出し入れする出入用開口１６が形成され、さらに出入用開口１６と管理用開口６０の蓋部材１５０が設けられている。【選択図】        図１
2005004647.tif 000002
【特許請求の範囲】
【請求項１】
下記の要件を備えたことを特徴とする物品取出装置。
（イ）装置本体は、物品を収納する物品収納室とコインセレクターを収納する管理室とを有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、動力伝達手段を介して前記回転盤を回転させて前記収容孔を前記落下口に対向させ、前記収容孔に収容されている物品を前記落下口及び前記落下通路を介して前記物品取出口に落下させる操作部が設けられていること。
（ホ）前記コインセレクターは、コイン挿入口から挿入されたコインにより回転盤又は動力伝達手段を回転可能とするものであって、下部にコイン収容ケースが設けられていること。
（ヘ）装置本体の正面には、物品取出口、操作部及びコイン挿入口が設けられていること。
（ト）装置本体の背面には、コイン収容ケースを引き出すことができる管理用開口と、管理用開口を開閉する蓋部材が設けられていること。
【請求項２】
下記の要件を備えたことを特徴とする物品取出装置。
（イ）装置本体は、物品を収納する物品収納室と動力伝達手段を収納する管理室とを有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、動力伝達手段を介して前記回転盤を回転させて前記収容孔を前記落下口に対向させ、前記収容孔に収容されている物品を前記落下口及び前記落下通路を介して前記物品取出口に落下させる操作部が設けられていること。
（ホ）装置本体の正面には、物品取出口、操作部及びコイン挿入口が設けられていること。
（ヘ）装置本体の背面には、動力伝達手段を管理する管理用開口と、管理用開口を開閉する蓋部材が設けられていること。
【請求項３】
下記の要件を備えたことを特徴とする物品取出装置。
（イ）装置本体は、物品を収納する物品収納室と、動力伝達手段及びコインセレクターを収納する管理室とを有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、前記動力伝達手段を介して前記回転盤を回転させて前記収容孔を前記落下口に対向させ、前記収容孔に収容されている物品を前記落下口及び前記落下通路を介して前記物品取出口に落下させる操作部が設けられていること。
（ホ）前記コインセレクターは、コイン挿入口から挿入されたコインにより回転盤又は動力伝達手段を回転可能とするものであって、下部にコイン収容ケースが設けられていること。
（ヘ）装置本体の正面には、物品取出口、操作部及びコイン挿入口が設けられていること。
（ト）装置本体の背面には、動力伝達手段を管理すると共にコイン収容ケースを引き出すことができる管理用開口と、管理用開口を開閉する蓋部材が設けられていること。
【請求項４】
蓋部材は、物品収納室に形成された、物品を出し入れする出入用開口を、前記管理用開口と共に開閉するように構成されていることを特徴とする請求項１、２又は３記載の物品取出装置。
【請求項５】
下記の要件を備えたことを特徴とする物品取出装置。
（イ）装置本体は、物品を収納する物品収納室とコインセレクターを収納する管理室とを有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、動力伝達手段を介して前記回転盤を回転させて前記収容孔を前記落下口に対向させ、前記収容孔に収容されている物品を前記落下口及び前記落下通路を介して前記物品取出口に落下させる操作部が設けられていること。
（ホ）前記コインセレクターは、コイン挿入口から挿入されたコインにより回転盤又は動力伝達手段を回転可能とするものであって、下部にコイン収容ケースが設けられていること。
（ヘ）管理室は、物品収納室の側部に設けられていること。
（ト）管理室には、物品取出口、操作部、コイン挿入口、コイン収容ケースを引き出すことができる管理用開口と、管理用開口を開閉する蓋部材が設けられていること。
【請求項６】
下記の要件を備えたことを特徴とする請求項５記載の物品取出装置。
（イ）管理室の正面には、物品取出口、操作部及びコイン挿入口が設けられていること。
（ロ）管理室の背面には、コイン収容ケースを引き出すことができる管理用開口と、管理用開口を開閉する蓋部材が設けられていること。
【請求項７】
下記の要件を備えたことを特徴とする物品取出装置。
（イ）装置本体は、第１の収納室と第２の収納室を有すること。
（ロ）第１の収納室は、物品を収納すると共に、物品を収容するための収容孔が形成された回転盤が底壁に回動自在に設けられ、さらに底壁に、回転盤の収容孔と対向する落下口が形成されていること。
（ハ）第２の収納室は、前記第１の収納室の落下口と対向し、装置本体の下部に形成された物品取出口と連通する落下通路を有すること。
（ニ）第２の収容室は、装置本体に設けられた操作部の回転を回転盤に伝達し、回転盤を回転させて前記収容孔を前記落下口に対向させ、前記収容孔に収容されている物品を前記落下口及び前記落下通路を介して前記物品取出口に落下させる動力伝達手段を収容するようになっていること。
（ホ）第１の収納室には、物品を出し入れする出入用開口が形成されていること。
（ヘ）第２の収納室には、動力伝達手段を管理する管理用開口が形成され、装置本体には、出入用開口と管理用開口を開閉する蓋部材が設けられていること。
【請求項８】
第２の収納室には、コイン挿入口から挿入されたコインにより回転盤又は動力伝達手段を回転可能とするコインセレクターと、コインセレクターの下部に設けられ、前記管理用開口から引き出し可能なコイン収容ケースが設けられていることを特徴とする請求項７記載に物品取出装置。
【請求項９】
下記の要件を備えたことを特徴とする物品取出装置。
（イ）装置本体は、物品を収納する物品収納室と動力伝達手段を収納する管理室とを有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、前記動力伝達手段を介して前記回転盤を回転させて前記収容孔を前記落下口に対向させ、前記収容孔に収容されている物品を前記落下口及び前記落下通路を介して前記物品取出口に落下させる操作部が設けられていること。
（ホ）物品収納室には、物品を出し入れする出入用開口が形成されていること。
（へ）管理室には、動力伝達手段を管理する管理用開口が形成されていること。
（ト）装置本体には、出入用開口と管理用開口を開閉する蓋部材が設けられていること。
【請求項１０】
下記の要件を備えたことを特徴とする物品取出装置。
（イ）装置本体は、物品を収納する物品収納室とコインセレクターを収納する管理室とを有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、動力伝達手段を介して前記回転盤を回転させて前記収容孔を前記落下口に対向させ、前記収容孔に収容されている物品を前記落下口及び前記落下通路を介して前記物品取出口に落下させる操作部が設けられていること。
（ホ）前記コインセレクターは、コイン挿入口から挿入されたコインにより回転盤又は動力伝達手段を回転可能とするものであって、下部にコイン収容ケースが設けられていること。
（ヘ）物品収納室には、物品を出し入れする出入用開口が形成されていること。
（ト）管理室には、コイン収容ケースを引き出すことができる管理用開口が形成されていること。
（チ）装置本体には、出入用開口と管理用開口を開閉する蓋部材が設けられていること。
【請求項１１】
下記の要件を備えたことを特徴とする物品取出装置。
（イ）装置本体は、物品を収納する物品収納室と、動力伝達手段及びコインセレクターを収納する管理室とを有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、前記動力伝達手段を介して前記回転盤を回転させて前記収容孔を前記落下口に対向させ、前記収容孔に収容されている物品を前記落下口及び前記落下通路を介して前記物品取出口に落下させる操作部が設けられていること。
（ホ）前記コインセレクターは、コイン挿入口から挿入されたコインにより回転盤又は動力伝達手段を回転可能とするものであって、下部にコイン収容ケースが設けられていること。
（ヘ）物品収納室には、物品を出し入れする出入用開口が形成されていること。
（ト）管理室には、動力伝達手段を管理すると共にコイン収容ケースを引き出すことができる管理用開口が形成されていること。
（チ）装置本体には、出入用開口と管理用開口を開閉する蓋部材が設けられていること。
【請求項１２】
装置本体には、蓋部材を開くと回転盤を回転不能にロックし、蓋部材を閉じると回転盤を回転可能にロックを解除するロック手段が設けられていることを特徴とする請求項１乃至１１のいずれか１項に記載の物品取出装置。
【請求項１３】
下記の要件を備えたことを特徴とする物品取出装置。
（イ）装置本体は、物品を収納する物品収納室を有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、前記回転盤を回転させて前記収容孔を前記落下口に対向させ、前記収容孔に収容されている物品を前記落下口及び前記落下通路を介して前記物品取出口に落下させる操作部が設けられていること。
（ホ）底壁には、回転盤の収容孔に収容された物品の高さ方向の位置を調節することができる高さ調節手段が設けられていること。
【請求項１４】
高さ調節手段は、底壁に形成された凹部に設けられたガイド部材であることを特徴とする請求項１３記載の物品取出装置。
【請求項１５】
ガイド部材は、物品収納室の一側に形成された長溝から突出する操作部材を有し、操作部材によって一方に動作させると底壁の凹部に形成された傾斜突起に沿って上昇し、操作部材によって他方に動作させると傾斜突起に沿って下降するようになっていることを特徴とする請求項１４記載の物品取出装置。
【請求項１６】
下記の要件を備えたことを特徴とする物品取出装置。
（イ）装置本体は、物品を収納する物品収納室を有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、前記回転盤を回転させて前記収容孔を前記落下口に対向させ、前記収容孔に収容されている物品を前記落下口及び前記落下通路を介して前記物品取出口に落下させる操作部が設けられていること。
（ホ）底壁には、回転盤の収容孔に収容された物品の高さ方向の位置を調節することができる高さ調節手段が設けられていること。
（ヘ）底壁には、落下口から落下する物品の落下位置を調節することができる落下調節手段が設けられていること。
【請求項１７】
下記の要件を備えたことを特徴とする請求項１６記載の物品取出装置。
（イ）落下調節手段は、底壁に設けられたガイド部材であること。
（ロ）ガイド部材は、物品収納室の一側に形成された長溝から突出する操作部材を有し、操作部材によって一方に動作させると落下口を狭めて物品の落下位置を物品取出口から離れた位置にし、操作部材によって他方に動作させると落下口を拡げるようになっていること。
【請求項１８】
下記の要件を備えたことを特徴とする物品取出装置。
（イ）装置本体は、物品を収納する物品収納室を有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、前記回転盤を回転させて前記収容孔を前記落下口に対向させ、前記収容孔に収容されている物品を前記落下口及び前記落下通路を介して前記物品取出口に落下させる操作部が設けられていること。
（ホ）底壁には、回転盤の収容孔に収容された物品の高さ方向の位置及び落下口から落下する物品の落下位置を調節することができる調節手段が設けられていること。
【請求項１９】
下記の要件を備えたことを特徴とする請求項１８記載の物品取出装置。
（イ）調節手段は、底壁に形成された凹部に設けられたガイド部材であること。
（ロ）ガイド部材は、物品収納室の一側に形成された長溝から突出する操作部材を有し、操作部材によって一方に動作させると底壁の凹部に形成された傾斜突起に沿って上昇し且つ落下口を狭めて物品の落下位置を物品取出口から離れた位置にし、操作部材によって他方に動作させると傾斜突起に沿って下降し且つ落下口を拡げるようになっていること。
【請求項２０】
下記の要件を備えたことを特徴とする物品取出装置。
（イ）装置本体は、物品を収納する物品収納室とコインセレクターを収納する管理室とを有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、動力伝達手段を介して前記回転盤を回転させて前記収容孔を前記落下口に対向させ、前記収容孔に収容されている物品を前記落下口及び前記落下通路を介して前記物品取出口に落下させる操作部が設けられていること。
（ホ）前記コインセレクターは、コイン挿入口から挿入されたコインにより回転盤又は動力伝達手段を回転可能とするものであって、下部にコイン収容ケースが設けられていること。
（ヘ）装置本体には、物品の値段、内容、コインの挿入枚数等を表示する表示部が設けられ、さらにこの表示部を覆うことができる、透過性素材で形成されたカバー部材が回動自在に設けられていること。
（ト）カバー部材は、前記コインセレクターによって固定されるようになっており、コインセレクターの収納時に表示部を覆った状態で固定され、コインセレクターの取り外し時に固定が解除され、回動して表示部を露出させることができるようになっていること。
【請求項２１】
下記の要件を備えたことを特徴とする請求項２０記載の物品取出装置。
（イ）表示部は、装置本体に回動自在に設けられ、装置本体に形成された開口から一部が表出する回胴部に設けられていること。
（ロ）カバー部材は、装置本体の開口から表出した回胴部の一部を覆うことができるように形成され、一側に係合部材が設けられ、係合部材が収納時のコインセレクターと係合することによって、回胴部の一部を覆った状態で固定されるようになっていること。
【請求項２２】
下記の要件を備えたことを特徴とする物品取出装置。
（イ）装置本体と、
（ロ）前記装置本体に設けられた物品を収容可能な物品収容室と、
（ハ）前記装置本体に設けられ、前記装置本体正面側からコインを投入可能なコイン投入口と、
（ニ）前記装置本体に設けられ、前記コイン投入口からコインが投入された後に操作可能となる操作部と、
（ホ）前記装置本体に設けられ、前記操作部の操作に応じて、前記物品収容室に収容された物品を前記装置本体外部に導出する導出手段と、
（ヘ）前記コイン投入口から投入されたコインを収容可能なコイン収容ケースであって、前記装置本体背面側から接触可能なコイン収容ケース。
【請求項２３】
前記操作部は、前記装置本体正面側から操作可能であることを特徴とする請求項２２記載の物品取出装置。
【請求項２４】
前記物品収容室は、前記装置本体背面側から物品投入可能な物品投入口を有することを特徴とする請求項２２または２３記載の物品取出装置。
【請求項２５】
前記コイン収容ケースは前記装置本体内部に設けられており、前記装置本体は、前記コイン収容ケースへの前記装置本体背面側からの接触を禁止する禁止扉を有し、当該禁止扉は前記装置本体の背面側外壁を形成していることを特徴とする請求項２２から２４のいずれかに記載の物品取出装置。
【請求項２６】
請求項２２記載の物品取出装置であって、
（イ）前記物品収容室は、前記装置本体背面側から物品投入可能な物品投入口を有し、
（ロ）前記コイン収容ケースは前記装置本体内部に設けられており、
（ハ）前記装置本体は、前記コイン収容ケースへの前記装置本体背面側からの接触を禁止するとともに、前記物品投入口からの物品の投入を禁止する禁止扉を有する、
ことを特徴とする物品取出装置。
【請求項２７】
前記操作部は、前記装置本体正面側から操作可能であることを特徴とする請求項２６記載の物品取出装置。
【請求項２８】
下記の要件を備えたことを特徴とする物品取出装置。
（イ）装置本体と、
（ロ）前記装置本体に設けられた物品を収容可能な物品収容室と、
（ハ）前記物品収容室の底壁に回動可能に設けられ、物品を収容するための収容孔が形成された回転盤と、
（ニ）前記物品収容室の底壁に設けられ、前記回転盤の収容孔と対向可能な落下口と、
（ホ）前記装置本体に設けられ、前記物品収容室の側方に位置するコイン投入口と、
（ヘ）前記装置本体に設けられ、前記物品収容室の側方であって、前記コイン投入口の下方に位置するコイン収容ケースと、
（ト）前記コイン投入口と前記コイン収容ケースの間に設けられ、前記コイン投入口からコインが投入されたことを検出可能なコイン検出手段と、
（チ）前記回転盤と前記コイン検出手段の間に位置し、前記コイン検出手段にてコインが検出された後に操作可能となる操作部と、
（リ）前記装置本体に設けられ、前記操作部の操作に応じて、前記収容孔が前記落下口に対向し当該収容孔に収容された物品を落下口より落下せしめるように、前記回転盤を回転可能な動力伝達手段。
【発明の詳細な説明】
【０００１】
【発明の属する技術分野】
本願発明は、装置本体の操作部を操作すると、装置本体内に設けられたカプセル等の物品を一つずつ取り出すことができる物品取出装置に関するものである。
【０００２】
【従来の技術】
従来、装置本体内に設けられたカプセル等の物品を一つずつ取り出すことができる物品取出装置は、カプセル等の物品を収納する物品収納室とコインセレクターを収納する管理室とを有する。物品収納室の底壁には、物品を収容するための収容孔が形成された回転盤が回動自在に設けられている。また、物品収納室の底壁には、回転盤に設けられた収容孔と対向する落下口が形成されている。装置本体には、前記物品収納室の落下口と対向すると共に、装置本体の下部に形成された物品取出口と連通する落下通路が設けられている。さらに装置本体には、動力伝達手段を介して前記回転盤を回転させて前記収容孔を前記落下口に対向させ、前記収容孔に収容されている物品を前記落下口及び前記落下通路を介して前記物品取出口に落下させる操作部が設けられている。前記コインセレクターは、コイン挿入口から挿入されたコインにより回転盤又は動力伝達手段を回転可能とするものであり、下部にコイン収容ケースが設けられている。
【０００３】
従来の物品取出装置は、装置本体の正面に、物品取出口、操作部、コイン挿入口、動力伝達手段を管理すると共にコイン収容ケースを引き出すことができる管理用開口と、管理用開口を開閉する蓋部材が設けられている（例えば、特許文献１、２、３）。従来の物品取出装置は、カプセル等の物品を収納する物品収納室の下部にコインセレクターを収納する管理室が設けられていた（例えば、特許文献１、２、３）。
【０００４】
又、従来の物品取出装置は、動力伝達手段を管理すると共にコイン収容ケースを引き出すことができる管理用開口と離れて、物品収納室の物品を出し入れする出入用開口が形成され、前記管理用開口と出入用開口は、異なる部分で塞がれており、それぞれ異なる手順により開放するようになっていた（例えば、特許文献１、２、３）。
【０００５】
従来の物品取出装置は、物品収納室に小さな物品を収容した場合、回転盤の収容孔に複数の物品が収容され、複数の物品が同時に落下口に落下するのを防止するため、収容孔の大きさを規制する規制部材が設けられていた（例えば、特許文献４）。また、従来の物品取出装置は、正面に、物品の値段、内容等を表示する表示部が回動自在に設けられている（例えば、特許文献４）。
【０００６】
【特許文献１】
実公昭６２−２００６８号公報
【特許文献２】
特開２００１−２０９８４４号公報
【特許文献３】
特開２００２−１３３４９２号公報
【特許文献４】
特開平８−２１２４３８号公報
【０００７】
【発明が解決しようとする課題】
上記した従来の物品取出装置は、コイン投入口、物品取出口、操作部等のお客により使用される部分と、物品の補充、コインセレクターの管理、動力伝達手段の管理、コイン収容ケース等の店員により使用される部分が、装置本体の正面に配置されているため、お客も店員も装置本体の正面からのみしかアクセスすることができない。そのため、従来の物品取出装置は、店員と客により挟まれるように設置され、店員と客が対面しつつ使用するような場合には、店員が装置本体の正面に移動しなければ、物品の補充、コイン収容ケースの引き出し等の作業を行なうことができず、面倒であるという問題点があった。
【０００８】
また、従来の物品取出装置は、物品の補充、コインセレクターの管理、動力伝達手段の管理、コイン収容ケース等の店員により使用される部分も装置本体の正面に配置されているため、お客が不正にアクセスすることができ、保安管理のため、監視していなければならないという問題点があった。
【０００９】
従来の物品取出装置は、カプセル等の物品を収納する物品収納室の下部に管理室が設けられ、管理室にコイン投入口、物品取出口、操作部、動力伝達機構、コインセレクター、コイン収容ケースが設けられているので、縦方向に大型化しており、店員と客の間に設けられたカウンター等の設置台に設置するには不安定で適していないという問題点があった。
【００１０】
従来の物品取出装置は、動力伝達手段を管理すると共にコイン収容ケースを引き出すことができる管理用開口と、物品収納室の物品を出し入れする出入用開口が、それぞれ異なる蓋部材で塞がれて鍵でロックされていたため、それぞれを開放するにはそれぞれ別の鍵が必要であり、そのため管理するには常に二つの鍵を所持していなければならず、管理に手間がかかるという問題点があった。また、管理用開口と出入用開口を塞ぐ蓋部材がそれぞれ必要となるため、コンパクトに形成することが難しいという問題点があった。
【００１１】
従来の物品取出装置は、物品収納室に小さな物品を収容した場合、対応できるように、収容孔の大きさを規制する規制部材が設けられていたが、回転盤と物品収納室の底壁との間のスペースが同じであるため、この回転盤と底壁の間に径の小さな物品が挟まってしまい、回転盤の回転を阻止する共に回転盤を壊してしまう可能性があるという問題点があった。
【００１２】
また、従来の物品取出装置は、物品取出口から手が入らないように、物品取出口側にしか開かない開閉扉を落下通路に設けている。この開閉扉は、サイズの大きな重い物品であれば、落下通路の傾斜による自重の回転で押し開くことができるが、サイズの小さな軽い物品であると、押し開くことができず、止まってしまうという問題点があった。
【００１３】
従来の物品取出装置は、正面に、物品の値段、内容等を表示する表示部が回動自在に設けられているが、外側から表示部を回動させることができるので、誤って表示部を回動させてしまう可能性があった。
【００１４】
本願発明は、上記問題点に鑑み案出したものであって、コイン投入口、物品取出口、操作部等のお客により使用される部分を装置本体の正面側に配置し、物品の補充、コインセレクターの管理、動力伝達手段の管理、コイン収容ケース等の店員により使用される部分を装置本体の背面側に配置し、店員と客の間に置かれ、店員と客が対面しつつ使用するのに特に適した物品取出装置を提供することを第１の目的とする。
【００１５】
また、カプセル等の物品を収納する物品収納室の側部に、コイン投入口、物品取出口、操作部、動力伝達機構、コインセレクター、コイン収容ケースが設けられた管理室を設け、コンパクトにした物品取出装置を提供することを第２の目的とする。さらに、動力伝達手段を管理すると共にコイン収容ケースを引き出すことができる管理用開口と、物品収納室の物品を出し入れする出入用開口を一つの蓋部材で塞ぐようにしたので、一つの鍵だけで対応することができ、管理が容易な物品取出装置を提供することを第３の目的とする。
【００１６】
さらにまた、取り出す物品の大きさに合わせて、物品収納室の底壁の高さを調節し、物品をスムーズに落下口まで運ぶことができ、複数の物品が同時に落下口に落下するのを防止した物品取出装置を提供することを第４の目的とする。
【００１７】
また、落下口から落下する物品の落下位置を開閉扉から離して落下通路に落下させ、物品に勢いを付けることができ、サイズの小さな軽い物品が開閉扉によって止まってしまうことを少なくした物品取出装置を提供することを第５の目的とする。
【００１８】
物品の値段、内容等を表示する表示部を透過性を有するカバー体で覆い、不用意に表示部が変わってしまうの防止した物品取出装置を提供することを第６の目的とする。
【００１９】
【課題を解決するための手段】
本願請求項１に係る物品取出装置は、上記第１の目的を達成するため、下記の構成を有する。
（イ）装置本体は、物品を収納する物品収納室とコインセレクターを収納する管理室とを有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、動力伝達手段を介して前記回転盤を回転させて前記収容孔を前記落下口に対向させ、前記収容孔に収容されている物品を前記落下口及び前記落下通路を介して前記物品取出口に落下させる操作部が設けられていること。
（ホ）前記コインセレクターは、コイン挿入口から挿入されたコインにより回転盤又は動力伝達手段を回転可能とするものであって、下部にコイン収容ケースが設けられていること。
（ヘ）装置本体の正面には、物品取出口、操作部及びコイン挿入口が設けられていること。
（ト）装置本体の背面には、コイン収容ケースを引き出すことができる管理用開口と、管理用開口を開閉する蓋部材が設けられていること。
【００２０】
本願請求項２に係る物品取出装置は、上記第１の目的を達成するため、下記の構成を有する。
（イ）装置本体は、物品を収納する物品収納室と動力伝達手段を収納する管理室とを有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、動力伝達手段を介して前記回転盤を回転させて前記収容孔を前記落下口に対向させ、前記収容孔に収容されている物品を前記落下口及び前記落下通路を介して前記物品取出口に落下させる操作部が設けられていること。
（ホ）装置本体の正面には、物品取出口、操作部及びコイン挿入口が設けられていること。
（ヘ）装置本体の背面には、動力伝達手段を管理する管理用開口と、管理用開口を開閉する蓋部材が設けられていること。
【００２１】
本願請求項３に係る物品取出装置は、上記第１の目的を達成するため、下記の構成を有する。
（イ）装置本体は、物品を収納する物品収納室と、動力伝達手段及びコインセレクターを収納する管理室とを有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、前記動力伝達手段を介して前記回転盤を回転させて前記収容孔を前記落下口に対向させ、前記収容孔に収容されている物品を前記落下口及び前記落下通路を介して前記物品取出口に落下させる操作部が設けられていること。
（ホ）前記コインセレクターは、コイン挿入口から挿入されたコインにより回転盤又は動力伝達手段を回転可能とするものであって、下部にコイン収容ケースが設けられていること。
（ヘ）装置本体の正面には、物品取出口、操作部及びコイン挿入口が設けられていること。
（ト）装置本体の背面には、動力伝達手段を管理すると共にコイン収容ケースを引き出すことができる管理用開口と、管理用開口を開閉する蓋部材が設けられていること。
【００２２】
本願請求項４に係る物品取出装置は、上記第１の目的を達成するため、上記蓋部材は、物品収納室に形成された、物品を出し入れする出入用開口を、前記管理用開口と共に開閉するように構成されている。
【００２３】
本願請求項５に係る物品取出装置は、上記第２の目的を達成するため、下記の構成を有する。
（イ）装置本体は、物品を収納する物品収納室とコインセレクターを収納する管理室とを有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、動力伝達手段を介して前記回転盤を回転させて前記収容孔を前記落下口に対向させ、前記収容孔に収容されている物品を前記落下口及び前記落下通路を介して前記物品取出口に落下させる操作部が設けられていること。
（ホ）前記コインセレクターは、コイン挿入口から挿入されたコインにより回転盤又は動力伝達手段を回転可能とするものであって、下部にコイン収容ケースが設けられていること。
（ヘ）管理室は、物品収納室の側部に設けられていること。
（ト）管理室には、物品取出口、操作部、コイン挿入口、コイン収容ケースを引き出すことができる管理用開口と、管理用開口を開閉する蓋部材が設けられていること。
【００２４】
本願請求項６に係る物品取出装置は、上記第２の目的を達成するため、上記構成に加え、下記の構成を有する。
（イ）管理室の正面には、物品取出口、操作部及びコイン挿入口が設けられていること。
（ロ）管理室の背面には、コイン収容ケースを引き出すことができる管理用開口と、管理用開口を開閉する蓋部材が設けられていること。
【００２５】
本願請求項７に係る物品取出装置は、上記第３の目的を達成するため、下記の構成を有する。
（イ）装置本体は、第１の収納室と第２の収納室を有すること。
（ロ）第１の収納室は、物品を収納すると共に、物品を収容するための収容孔が形成された回転盤が底壁に回動自在に設けられ、さらに底壁に、回転盤の収容孔と対向する落下口が形成されていること。
（ハ）第２の収納室は、前記第１の収納室の落下口と対向し、装置本体の下部に形成された物品取出口と連通する落下通路を有すること。
（ニ）第２の収容室は、装置本体に設けられた操作部の回転を回転盤に伝達し、回転盤を回転させて前記収容孔を前記落下口に対向させ、前記収容孔に収容されている物品を前記落下口及び前記落下通路を介して前記物品取出口に落下させる動力伝達手段を収容するようになっていること。
（ホ）第１の収納室には、物品を出し入れする出入用開口が形成されていること。
（ヘ）第２の収納室には、動力伝達手段を管理する管理用開口が形成され、装置本体には、出入用開口と管理用開口を開閉する蓋部材が設けられていること。
【００２６】
本願請求項８に係る物品取出装置は、上記第３の目的を達成するため、上記第２の収納室には、コイン挿入口から挿入されたコインにより回転盤又は動力伝達手段を回転可能とするコインセレクターと、コインセレクターの下部に設けられ、前記管理用開口から引き出し可能なコイン収容ケースが設けられている。
【００２７】
本願請求項９に係る物品取出装置は、上記第３の目的を達成するため、下記の構成を有する。
（イ）装置本体は、物品を収納する物品収納室と動力伝達手段を収納する管理室とを有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、前記動力伝達手段を介して前記回転盤を回転させて前記収容孔を前記落下口に対向させ、前記収容孔に収容されている物品を前記落下口及び前記落下通路を介して前記物品取出口に落下させる操作部が設けられていること。
（ホ）物品収納室には、物品を出し入れする出入用開口が形成されていること。
（へ）管理室には、動力伝達手段を管理する管理用開口が形成されていること。
（ト）装置本体には、出入用開口と管理用開口を開閉する蓋部材が設けられていること。
【００２８】
本願請求項１０に係る物品取出装置は、上記第３の目的を達成するため、下記の構成を有する。
（イ）装置本体は、物品を収納する物品収納室とコインセレクターを収納する管理室とを有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、動力伝達手段を介して前記回転盤を回転させて前記収容孔を前記落下口に対向させ、前記収容孔に収容されている物品を前記落下口及び前記落下通路を介して前記物品取出口に落下させる操作部が設けられていること。
（ホ）前記コインセレクターは、コイン挿入口から挿入されたコインにより回転盤又は動力伝達手段を回転可能とするものであって、下部にコイン収容ケースが設けられていること。
（ヘ）物品収納室には、物品を出し入れする出入用開口が形成されていること。
（ト）管理室には、コイン収容ケースを引き出すことができる管理用開口が形成されていること。
（チ）装置本体には、出入用開口と管理用開口を開閉する蓋部材が設けられていること。
【００２９】
本願請求項１１に係る物品取出装置は、上記第３の目的を達成するため、下記の構成を有する。
（イ）装置本体は、物品を収納する物品収納室と、動力伝達手段及びコインセレクターを収納する管理室とを有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、前記動力伝達手段を介して前記回転盤を回転させて前記収容孔を前記落下口に対向させ、前記収容孔に収容されている物品を前記落下口及び前記落下通路を介して前記物品取出口に落下させる操作部が設けられていること。
（ホ）前記コインセレクターは、コイン挿入口から挿入されたコインにより回転盤又は動力伝達手段を回転可能とするものであって、下部にコイン収容ケースが設けられていること。
（ヘ）物品収納室には、物品を出し入れする出入用開口が形成されていること。
（ト）管理室には、動力伝達手段を管理すると共にコイン収容ケースを引き出すことができる管理用開口が形成されていること。
（チ）装置本体には、出入用開口と管理用開口を開閉する蓋部材が設けられていること。
【００３０】
本願請求項１２に係る物品取出装置は、上記第３の目的を達成するため、上記装置本体には、蓋部材を開くと回転盤を回転不能にロックし、蓋部材を閉じると回転盤を回転可能にロックを解除するロック手段が設けられている。
【００３１】
本願請求項１３に係る物品取出装置は、上記第４の目的を達成するため、下記の構成を有する。
（イ）装置本体は、物品を収納する物品収納室を有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、前記回転盤を回転させて前記収容孔を前記落下口に対向させ、前記収容孔に収容されている物品を前記落下口及び前記落下通路を介して前記物品取出口に落下させる操作部が設けられていること。
（ホ）底壁には、回転盤の収容孔に収容された物品の高さ方向の位置を調節することができる高さ調節手段が設けられていること。
【００３２】
本願請求項１４に係る物品取出装置は、上記第４の目的を達成するため、上記高さ調節手段は、底壁に形成された凹部に設けられたガイド部材である。
【００３３】
本願請求項１５に係る物品取出装置は、上記第４の目的を達成するため、上記ガイド部材は、物品収納室の一側に形成された長溝から突出する操作部材を有し、操作部材によって一方に動作させると底壁の凹部に形成された傾斜突起に沿って上昇し、操作部材によって他方に動作させると傾斜突起に沿って下降するようになっている。
【００３４】
本願請求項１６に係る物品取出装置は、上記第５の目的を達成するため、下記の構成を有する。
（イ）装置本体は、物品を収納する物品収納室を有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、前記回転盤を回転させて前記収容孔を前記落下口に対向させ、前記収容孔に収容されている物品を前記落下口及び前記落下通路を介して前記物品取出口に落下させる操作部が設けられていること。
（ホ）底壁には、回転盤の収容孔に収容された物品の高さ方向の位置を調節することができる高さ調節手段が設けられていること。
（ヘ）底壁には、落下口から落下する物品の落下位置を調節することができる落下調節手段が設けられていること。
【００３５】
本願請求項１７に係る物品取出装置は、上記第５の目的を達成するため、上記構成に加え、下記の構成を有する。
（イ）落下調節手段は、底壁に設けられたガイド部材であること。
（ロ）ガイド部材は、物品収納室の一側に形成された長溝から突出する操作部材を有し、操作部材によって一方に動作させると落下口を狭めて物品の落下位置を物品取出口から離れた位置にし、操作部材によって他方に動作させると落下口を拡げるようになっていること。
【００３６】
本願請求項１８に係る物品取出装置は、上記第４、５の目的を達成するため、下記の構成を有する。
（イ）装置本体は、物品を収納する物品収納室を有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、前記回転盤を回転させて前記収容孔を前記落下口に対向させ、前記収容孔に収容されている物品を前記落下口及び前記落下通路を介して前記物品取出口に落下させる操作部が設けられていること。
（ホ）底壁には、回転盤の収容孔に収容された物品の高さ方向の位置及び落下口から落下する物品の落下位置を調節することができる調節手段が設けられていること。
【００３７】
本願請求項１９に係る物品取出装置は、上記第４、５の目的を達成するため、下記の構成を有する。
（イ）調節手段は、底壁に形成された凹部に設けられたガイド部材であること。
（ロ）ガイド部材は、物品収納室の一側に形成された長溝から突出する操作部材を有し、操作部材によって一方に動作させると底壁の凹部に形成された傾斜突起に沿って上昇し且つ落下口を狭めて物品の落下位置を物品取出口から離れた位置にし、操作部材によって他方に動作させると傾斜突起に沿って下降し且つ落下口を拡げるようになっていること。
【００３８】
本願請求項２０に係る物品取出装置は、上記第６の目的を達成するため、下記の構成を有する。
（イ）装置本体は、物品を収納する物品収納室とコインセレクターを収納する管理室とを有すること。
（ロ）物品収納室の底壁には、物品を収容するための収容孔が形成された回転盤が回動自在に設けられ、さらに、回転盤の収容孔と対向する落下口が形成されていること。
（ハ）装置本体には、前記物品収納室の落下口と対向すると共に、装置本体の下部に形成された物品取出口と連通する落下通路が設けられていること。
（ニ）装置本体には、動力伝達手段を介して前記回転盤を回転させて前記収容孔を前記落下口に対向させ、前記収容孔に収容されている物品を前記落下口及び前記落下通路を介して前記物品取出口に落下させる操作部が設けられていること。
（ホ）前記コインセレクターは、コイン挿入口から挿入されたコインにより回転盤又は動力伝達手段を回転可能とするものであって、下部にコイン収容ケースが設けられていること。
（ヘ）装置本体には、物品の値段、内容、コインの挿入枚数等を表示する表示部が設けられ、さらにこの表示部を覆うことができる、透過性素材で形成されたカバー部材が回動自在に設けられていること。
（ト）カバー部材は、前記コインセレクターによって固定されるようになっており、コインセレクターの収納時に表示部を覆った状態で固定され、コインセレクターの取り外し時に固定が解除され、回動して表示部を露出させることができるようになっていること。
【００３９】
本願請求項２１に係る物品取出装置は、上記第６の目的を達成するため、上記構成に加え、下記の構成を有する。
（イ）表示部は、装置本体に回動自在に設けられ、装置本体に形成された開口から一部が表出する回胴部に設けられていること。
（ロ）カバー部材は、装置本体の開口から表出した回胴部の一部を覆うことができるように形成され、一側に係合部材が設けられ、係合部材が収納時のコインセレクターと係合することによって、回胴部の一部を覆った状態で固定されるようになっていること。
【００４０】
本願請求項２２に係る物品取出装置は、上記第１の目的を達成するため、下記の構成を有する。
（イ）装置本体と、
（ロ）前記装置本体に設けられた物品を収容可能な物品収容室と、
（ハ）前記装置本体に設けられ、前記装置本体正面側からコインを投入可能なコイン投入口と、
（ニ）前記装置本体に設けられ、前記コイン投入口からコインが投入された後に操作可能となる操作部と、
（ホ）前記装置本体に設けられ、前記操作部の操作に応じて、前記物品収容室に収容された物品を前記装置本体外部に導出する導出手段と、
（ヘ）前記コイン投入口から投入されたコインを収容可能なコイン収容ケースであって、前記装置本体背面側から接触可能なコイン収容ケース。
【００４１】
本願請求項２３に係る物品取出装置は、上記第１の目的を達成するため、前記操作部は、前記装置本体正面側から操作可能である。
【００４２】
本願請求項２４に係る物品取出装置は、上記第１の目的を達成するため、前記物品収容室は、前記装置本体背面側から物品投入可能な物品投入口を有する。
【００４３】
本願請求項２５に係る物品取出装置は、上記第１の目的を達成するため、前記コイン収容ケースは前記装置本体内部に設けられており、前記装置本体は、前記コイン収容ケースへの前記装置本体背面側からの接触を禁止する禁止扉を有し、当該禁止扉は前記装置本体の背面側外壁を形成している。
【００４４】
本願請求項２６に係る物品取出装置は、上記第１の目的を達成するため、上記構成に加え、下記の構成を有する。
（イ）前記物品収容室は、前記装置本体背面側から物品投入可能な物品投入口を有し、
（ロ）前記コイン収容ケースは前記装置本体内部に設けられており、
（ハ）前記装置本体は、前記コイン収容ケースへの前記装置本体背面側からの接触を禁止するとともに、前記物品投入口からの物品の投入を禁止する禁止扉を有する。
【００４５】
本願請求項２７に係る物品取出装置は、上記第１の目的を達成するため、前記操作部は、前記装置本体正面側から操作可能である。
【００４６】
本願請求項２８に係る物品取出装置は、上記第１の目的を達成するため、下記の構成を有する。
（イ）装置本体と、
（ロ）前記装置本体に設けられた物品を収容可能な物品収容室と、
（ハ）前記物品収容室の底壁に回動可能に設けられ、物品を収容するための収容孔が形成された回転盤と、
（ニ）前記物品収容室の底壁に設けられ、前記回転盤の収容孔と対向可能な落下口と、
（ホ）前記装置本体に設けられ、前記物品収容室の側方に位置するコイン投入口と、
（ヘ）前記装置本体に設けられ、前記物品収容室の側方であって、前記コイン投入口の下方に位置するコイン収容ケースと、
（ト）前記コイン投入口と前記コイン収容ケースの間に設けられ、前記コイン投入口からコインが投入されたことを検出可能なコイン検出手段と、
（チ）前記回転盤と前記コイン検出手段の間に位置し、前記コイン検出手段にてコインが検出された後に操作可能となる操作部と、
（リ）前記装置本体に設けられ、前記操作部の操作に応じて、前記収容孔が前記落下口に対向し当該収容孔に収容された物品を落下口より落下せしめるように、前記回転盤を回転可能な動力伝達手段。
【００４７】
【発明の実施の形態】
本願発明に係る物品取出装置の実施の形態を図面に基づいて説明する。図１は、本願発明に係る物品取出装置の一つの実施の形態を示す正面側から視た全体斜視図である。図２は、図１の一部透視図である。図３は、図１の背面側から視た全体斜視図である。図４は、高さ調節手段の動きを説明する説明図である。図５は、落下位置調節手段の動きを説明する側面断面図である。図６は、図４の要部説明図である。図７は、図５の説明図である。図８は、値段表示部の透明カバーを説明する側面断面図である。
【００４８】
物品取出装置１の装置本体２は、物品Ａ，Ｂを収納する物品収納室３（第１の収納室）と、動力伝達手段９５及びコインセレクター１００を収納する管理室５（第２の収納室）とを有する。物品収納室３の底壁６には、物品Ａ，Ｂを収容するための収容孔３７が形成された回転盤３６が回動自在に設けられ、さらに、回転盤３６の収容孔３７と対向する落下口２２が形成されている。装置本体２には、前記物品収納室３の落下口２２と対向すると共に、装置本体２の下部に形成された物品取出口７２と連通する落下通路７１が設けられている。
【００４９】
装置本体２には、前記動力伝達手段９５を介して前記回転盤３６を回転させて前記収容孔３７を前記落下口２２に対向させ、前記収容孔３７に収容されている物品Ａ，Ｂを前記落下口２２及び前記落下通路７１を介して前記物品取出口７２に落下させる操作部８１が設けられている。前記コインセレクター１００は、コイン挿入口１０２から挿入されたコインにより回転盤３６又は動力伝達手段９５を回転可能とするものであって、下部にコイン収容ケース１１５が設けられている。
【００５０】
管理室５は、物品収納室３の側部に設けられている。装置本体２の正面、即ち、管理室５の正面には、物品取出口７２、操作部８１及びコイン挿入口１０２が設けられている。装置本体２の背面、即ち、管理室５の背面には、動力伝達手段９５を管理すると共にコイン収容ケース１１５を引き出すことができる管理用開口６０が設けられている。物品収納室３には、物品Ａ，Ｂを出し入れする出入用開口１６が形成されている。装置本体２の背面には、出入用開口１６と管理用開口６０を開閉する蓋部材１５０が設けられている。
【００５１】
装置本体２には、蓋部材１５０を開くと回転盤３６を回転不能にロックし、蓋部材１５０を閉じると回転盤３６を回転可能にロックを解除するロック手段５０が設けられている。底壁６には、回転盤３６の収容孔３７に収容された物品Ａ，Ｂの高さ方向の位置及び落下口２２から落下する物品Ａ，Ｂの落下位置を調節することができる調節手段３０（高さ調節手段、落下調節手段）が設けられている。調節手段（高さ調節手段、落下調節手段）は、底壁６に形成された凹部２３に設けられたガイド部材３０である。
【００５２】
ガイド部材３０は、物品収納室３の一側に形成された長溝４７から突出する操作部材３５を有し、操作部材３５によって一方に動作させると底壁６の凹部２３に形成された傾斜突起２６に沿って上昇し且つ落下口２２を狭めて物品Ａ，Ｂの落下位置を物品取出口７２から離れた位置にし、操作部材３５によって他方に動作させると傾斜突起２６に沿って下降し且つ落下口２２を拡げるようになっている。
【００５３】
装置本体２には、物品の値段、内容、コインの挿入枚数等を表示する表示部１３４が設けられ、さらにこの表示部１３４を覆うことができる、透過性素材で形成されたカバー部材１３５が回動自在に設けられている。表示部１３４は、装置本体２に回動自在に設けられ、装置本体２に形成された開口１２６から一部が表出する回胴部１３０に設けられている。
【００５４】
カバー部材１３５は、装置本体２の開口１２６から表出した回胴部１３０の一部を覆うことができるように形成され、一側に係合部材１３９が設けられ、係合部材１３９が収納時のコインセレクター１００と係合することによって、回胴部１３０の表示部１３４を覆った状態で固定されるようになっており、コインセレクター１００の取り外し時に固定が解除され、回動して表示部１３４を露出させることができるようになっている。
【００５５】
すなわち、物品取出装置１は、装置本体２と、前記装置本体２に設けられた物品Ａを収容可能な物品収容室３と、前記装置本体２に設けられ、前記装置本体２正面側からコインを投入可能なコイン投入口１２０と、前記装置本体２に設けられ、前記コイン投入口１２０からコインが投入された後に操作可能となる操作部８１と、前記装置本体２に設けられ、前記操作部８１の操作に応じて、前記物品収容室３に収容された物品Ａを前記装置本体２外部に導出する導出手段３６と、前記コイン投入口１２０から投入されたコインを収容可能なコイン収容ケース１１５であって、前記装置本体２背面側から接触可能なコイン収容ケース１１５とを備えている。
【００５６】
前記操作部８１は、前記装置本体２正面側から操作可能である。前記物品収容室３は、前記装置本体２背面側から物品投入可能な物品投入口１６を有する。前記コイン収容ケース１１５は前記装置本体２内部に設けられており、前記装置本体２は、前記コイン収容ケース１１５への前記装置本体２背面側からの接触を禁止する禁止扉１５０を有し、当該禁止扉１５０は前記装置本体２の背面側外壁を形成している。
【００５７】
前記物品収容室３は、前記装置本体２背面側から物品投入可能な物品投入口１６を有する。前記コイン収容ケース１１５は、前記装置本体２内部に設けられている。前記装置本体２は、前記コイン収容ケース１１５への前記装置本体２背面側からの接触を禁止するとともに、前記物品投入口１６からの物品Ａの投入を禁止する禁止扉１５０を有する。
【００５８】
物品取出装置１は、装置本体２と、前記装置本体２に設けられた物品Ａを収容可能な物品収容室３と、前記物品収容室３の底壁６に回動可能に設けられ、物品Ａを収容するための収容孔３７が形成された回転盤３６と、前記物品収容室３の底壁６に設けられ、前記回転盤３６の収容孔３７と対向可能な落下口２２と、前記装置本体２に設けられ、前記物品収容室３の側方に位置するコイン投入口１２０と、前記装置本体２に設けられ、前記物品収容室３の側方であって、前記コイン投入口１２０の下方に位置するコイン収容ケース１１５と、前記コイン投入口１２０と前記コイン収容ケース１１５の間に設けられ、前記コイン投入口１２０からコインが投入されたことを検出可能なコイン検出手段１００と、前記回転盤３６と前記コイン検出手段１００の間に位置し、前記コイン検出手段１００にてコインが検出された後に操作可能となる操作部８１と、前記装置本体２に設けられ、前記操作部８１の操作に応じて、前記収容孔３７が前記落下口２２に対向し当該収容孔３７に収容された物品Ａを落下口２２より落下せしめるように、前記回転盤３６を回転可能な動力伝達手段９５を備えている。
【００５９】
さらに物品取出装置について詳細に説明する。物品取出装置１は、装置本体２を有する。装置本体２は、物品Ａ，Ｂを収納する物品収納室３と、動力伝達手段９５及びコインセレクター１００を収納する管理室５とを有する。物品収納室３は、円形の底壁６と、底壁６の周囲に形成されたガイド壁７と、ガイド壁７の周縁に連接された傾斜壁９と、傾斜壁９の周縁に形成された突縁１０と、傾斜壁９の右側に設けられた垂直壁１１と、突縁１０の後側に設けられた略球面状の後壁１２とからなり、垂直壁１１と後壁１２の間、すなわち、装置本体２の背面側にに略コ字状の凹部１３が形成されている。
【００６０】
さらに、物品収納室３は、透過性を有する素材で形成されたドーム状のカバー体１５を有する。当該カバー体１５は、垂直壁１１及び後壁１２の上端に係止され、さらに突縁１０を囲んで後記管理室５の周壁６９に形成された係合縁８０に係合されて固定される。従って、物品収納室３は、底壁６と、ガイド壁７と、傾斜壁９と、垂直壁１１と、後壁１２と、カバー体１５によって、密閉形状に構成され、前記凹部１３によって、装置本体２の背面側にカプセル等の物品Ａ，Ｂを出し入れする略矩形状の出入用開口１６が形成される。
【００６１】
底壁６は、略中心に支軸２０が設けられている。支軸２０の下部には、フランジ２１が形成されている。また、底壁６には、物品を落下させる落下口２２が形成されている。さらに又底壁６には、支軸２０を中心とした環状の凹部２３が形成されている。凹部２３は、断面略コ字状となっており、両端が前記落下口２２の略中心と連通している。凹部２３の底部２５には、一対の傾斜突起２６，２６が設けられている。傾斜突起２６は、板状に形成され、水平部２７と傾斜部２８とからなり、落下口２２近傍に設けられている。
【００６２】
凹部２３内には、略Ｃ字状のガイド部材３０が設けられている。ガイド部材３０は、物品Ａ，Ｂの高さ方向の位置を調節することができる高さ調節手段であって、断面略コ字状に形成され、前部と後部に傾斜壁３１，３２が形成されており、前記傾斜突起２６，２６を内挿している。ガイド部材３０は、前端に上壁と略同一のガイド突起３３が形成されている。ガイド突起３３は、落下口２２内に出没可能となっている。ガイド部材３０は、下部に操作部材３５が設けられている。操作部材３５は、ガイド壁７に形成された長溝４７から突出するようになっている。
【００６３】
底壁６には、回転盤３６が底壁６に突設された支軸２０によって回動自在に設けられている。回転盤３６は、フランジ２１に載置された形となり、底壁６との間にスペースＳを形成している。回転盤３６の支軸２０を中心とした周囲には、内部に小玩具を収容したカプセル等の物品Ａ，Ｂを一つずつ収容することのできる収容孔３７が所定間隔あけて設けられている。回転盤３６の下面周縁には、環状のラック３９が形成されている。上記回転盤３６の周囲に設けられた複数の収容孔３７は、回転するとそれぞれが前記落下口２２に対向するようになっている。
【００６４】
回転盤３６には、略中心に略円錐状の物品振り分け軸４１が突設され、物品振り分け軸４１の周囲に屈曲された攪拌スプリング４２がネジ４３によって取り付けられている。また、物品収納室３の傾斜壁９には、収容孔３７に一つずつ物品Ａ，Ｂを入れ、２つ以上の物品Ａ，Ｂを収容孔３７から弾き出すための防止スプリング４５が落下口２２の略真上に設けられ、落下口２２に物品Ａ，Ｂが連続して２つ落下するのを防止している
【００６５】
物品収納室３は、のガイド壁７の下端外周縁からガイド壁７の外方に向けて水平方向にに仕切壁４６が延設されている。設けられている仕切壁４６は、物品収納室３の右部右方及び下部下方に設けられた管理室５のを上下をに仕切るようになっている。なお、ガイド壁７には、前記操作部材３５を管理室５内側に突出させる長溝４７が形成されている。また、ガイド壁７には、一対の軸受け部５１，５１が縦方向に並んで形成されており、当該軸受け部５１，５１は、ロック手段５０を水平方向に回動可能に軸受けしている。
ロック手段５０が設けられている。ロック手段５０は、ガイド壁７に形成された一対の軸受け部５１，５１に回動自在に取り付けられている。
【００６６】
ロック手段５０は、先端に係止突起５２が形成され、後端に操作片５３が設けられ、略中央部が一対の軸受け部５１，５１によって回動自在可能に取り付けられている軸受けされている。ロック手段５０は、係止突起５２がガイド壁７に形成された開口５５から挿通して前記回転盤３６のラック３９を係止するようになっており、さらにバネ等の弾性部材５６によって係止突起５２のが開口５５から突出して前記回転盤３６のラック３９を係止する方向に付勢されている。
【００６７】
管理室５は、物品収納室３の右部右方に設けられたコインセレクター収納部６２と、物品収納室３の下部下方に設けられた載置部６１を有する。管理室５の載置部６１は、物品収納室３を載置している形となっている。コインセレクター収納部６２は、蒲鉾状の右側壁６３とを有し、右側壁６３の前部下端から蒲鉾状の湾曲部分における頂点までの間にて左方に延設された湾曲した正面壁６５と、右側壁６３の下縁から左方に延設された下壁６７とが、、蒲鉾状の前記垂直壁１１と接続することで形成されている。とからなり、また、右側壁６３の蒲鉾状の湾曲部分における頂点から後部下端までが開放されていることから、コインセレクター収納部６２の背面には背面開口６８が形成されている。又、載置部６１は、半円筒状の装置本体２の周壁６９と、周壁６９の下縁から装置本体２の内方に延設され、コインセレクター収納部６２の下壁６７と接続する下壁７０とからなる。周壁６９は、後壁１２の後端縁まで伸びており、周壁６９及び後壁１２の後端と右側壁６３の後端、および、下壁６７の後端によりの間に装置本体２の背面側には下部開口６４が形成されている。上記背面開口６８と前記下部開口６４によって管理用開口６０が形成されている。
【００６８】
下壁７０には、物品収納室３の落下口２２と対向する落下通路７１が設けられている。この落下通路７１は、断面が略コ字状に形成され、周壁６９の下部に形成された物品取出口７２に向かって下降傾斜しており、物品取出口７２の前部に形成された物品受け部７３に連接している。
【００６９】
落下通路７１は、後部７４が落下口２２の略真下に位置しており、その湾曲した後壁７８に一対の傾斜リブ７５，７５が設けられ、この傾斜リブ７５，７５に物品Ａ，Ｂが落下するようになっている。また、落下通路７１の略中央上部には、軸受け凹部７６が形成され、当該軸受け凹部７６，７６に蓋体７７の支軸７９が回動自在に取り付けられている。蓋体７７は、物品取出口７２側に向かってのみ回動するように構成され、物品取出口７２側から手を差し込むことができないようになっている。前記周壁６９の係合縁８０には、前記カバー体１５の下端１７が係合するようにして、カバー体１５が取り付けられている。
【００７０】
装置本体２の正面、即ち周壁６９の正面には、円盤状の操作部材８１が設けられている。操作部材８１の位置は、装置本体２を正面から見た場合、左から物品収納室３内の回転盤３６、操作部材８１、コインセレクター収納部６２の順に並ぶように位置している。この操作部材８１の回転軸８３は、下壁７０に軸受けされ、略中間部に大平歯車８５が取り付けられ、後部にピン歯車８６が取り付けられている。大平歯車８５は、周壁６９に回動自在に取り付けられた中間小歯車９３と噛み合っている。
【００７１】
ピン歯車８６は、底壁６の下面に回動自在に軸受けされた中間平歯車８７と噛み合っている。中間平歯車８７には、一体に駆動歯車８９が設けられている。駆動歯車８９は、底壁６に形成された開口８を介して前記回転盤３６のラック３９と噛み合っている。また周壁６９には、前記回転軸８３と略平行に動力伝達軸９０が回動自在に設けられている。動力伝達軸９０は、前部に小歯車９１が固定して取り付けられ、後部に出力傘歯車９２が固定して取り付けられている。前記出力傘歯車９２は、後記コインセレクター１００の回転軸に設けられた入力傘歯車１０３と噛み合っている。動力伝達手段９５は、回転軸８３と、ピン歯車８６と、中間平歯車８７と、駆動歯車８９とから構成されている。
【００７２】
管理室５は、物品収納室３の右部に設けられたコインセレクター収納部６２と、物品収納室３の下部に設けられた載置部６１を有している。コインセレクター収納部６２と載置部６１は、ガイド壁７の下端外周縁からガイド壁７の外方に向けて水平に延設された設けられた仕切壁４６によって、上下が仕切られている。仕切壁４６の上部には、前記した動力伝達手段９５が配置されている。蒲鉾状の右側壁６３と、湾曲した正面壁６５と、下壁６７と、蒲鉾状の前記垂直壁１１とからなるコインセレクター収納部６２は、仕切壁４６によって仕切られ、仕切壁４６の上部にコインセレクター１００が設けられ、仕切壁４６の下部にコインセレクター１００から排出されたコインを収容し、回収するコイン収容ケース１１５が設けられている。コイン収容ケース１１５は、コイン収納部６２の正面壁６５、右側壁６３、下壁６７により囲まれているため、コイン収容ケース１１５には、装置本体２の背面側に形成された前記下部開口６４より接触することとなる。
【００７３】
コインセレクター１００は、装置本体２の背面に形成された管理用開口６６から装着するものであって、コインの挿入枚数を設定することができるようになっている。コインセレクター本体１０１は、正面上部にコイン挿入口１０２が設けられ、コイン挿入口１０２の下部にコイン返却押し釦１０４が形成され、左面下部に入力傘歯車１０３が設けられている。コインセレクター１００は、必要枚数のコインをコイン挿入口１０２から挿入すると、入力傘歯車１０３が回動可能となり、コインの挿入枚数が不足している場合又は不正コインが挿入された場合は、入力傘歯車１０３が回動不能のままである。コインセレクター本体１０１の下部両側には、４本の係合軸１０５・・が略水平に突出して設けられている。
【００７４】
コインセレクター収納部６２内の仕切壁４６の上部には、一対のガイド壁１０６，１０６が前後方向に向かって設けられている。このガイド壁１０６，１０６には、略Ｌ字状の突片１０９によって形成された係合溝１０７・・・が設けられている。コインセレクター１００は、一対のガイド壁１０６，１０６に案内されて前後方向に移動可能に取り付けられ、係合軸１０５・・・が係合溝１０７・・・に係合して位置決めされるようなっている。コインセレクター１００は、上記したように位置決めされた時、仕切壁４６に設けられた係止爪１１０によってコインセレクター本体１０１の後端が係止される。
【００７５】
仕切壁４６の下部には、前後方向に伸びる案内縁１１２が形成されている。前記したコイン収容ケース１１５は、上端縁１１６が案内縁１１２に案内されて、前後方向に移動可能に取り付けられている。コインセレクター収納部６２の正面壁６５は、垂直壁６６を有し、垂直壁６６の正面上部（すなわち、装置本体２の正面側）には、前記コインセレクター１００のコイン挿入口１０２と対向するコイン投入口１２０が形成され、コイン投入口１２０の下部には、前記コインセレクター１００のコイン返却押し釦１０４を挿通させる挿通孔１２１が形成されている。さらにコインセレクター収納部６２の垂直壁６６の正面略中間部には、半円筒状の膨出部１２５が形成されている。この膨出部１２５には、矩形状の開口１２６が形成されている。
【００７６】
コインセレクター収納部６２の垂直壁６６裏面には、一対の軸受け部１２９，１２９が形成されている。この一対の軸受け部材１２９，１２９には、円柱状の回胴部１３０の中心軸１３１が回動自在に取り付けられている。回胴部１３０は、前記開口１２６から表出するようになっており、周面に物品の値段、内容、コインの挿入枚数等の表示部１３４、１３４が複数段に形成されている。なお、表示部１３４は、表示シートであって、回胴部１３０の周面に形成された矩形状凹部１３８内に装着しても構わないのは勿論である。
【００７７】
中心軸１３１は、断面矩形状に形成されている。軸受け部材１２９には、中心軸１３１を押圧する略三角状の押圧部１３２を備えた弾性片１３３が設けられている。当該弾性片１３３は、中心軸１３１の位置決めを可能にし、開口１２６から挿入金額等を表示している表示部１３４が不用意に替わらないように、回胴部１３０を回動不能にロックしている。なお、回胴部１３０は、弾性片１３３の弾性に抗して回転可能であり、挿入金額等を表示している表示部１３４を替えることができるのは勿論である。
【００７８】
また、中心軸１３１には、カバー部材１３５が回動自在に取り付けられている。カバー部材１３５は、透過性素材で形成された半円筒状のカバー部１３６と、カバー部１３６の両端に設けられた半円状の側壁１３７，１３７と、カバー部１３６の下端縁に設けられた係合部材１３９とからなる。カバー部材１３６は、側壁１３７，１３７の略中心が前記中心軸１３１に枢支され、前記回胴部１３０を覆うようにして、開口１２６を塞ぐように回動する。係合部材１３９は、板状に形成され、下端に係合突起１４０が形成されている。カバー部材１３６は、係合突起１４０が前記コインセレクター１００の下部１４１に係合すると、開口部１２６を塞いだ形で固定される。
【００７９】
前記管理用開口６０は、蓋部材１５０によって塞がれるようになっている。蓋部材１５０は、前記管理用開口６０の背面開口６８を塞ぐ第１の蓋部１５１と、下部開口６４を塞ぐ第２の蓋部１５２と、物品収納室３の出入用開口１６を塞ぐ第３の蓋部１５３とからなる。第１の蓋部１５１の上端縁１４２には、一対の係止爪１５６，１５６が形成され、一対の係止爪１５６，１５６は正面壁６５の上端縁１４３に係止されるようになっている。第２の蓋部材１５２には、着脱キー１５８を備えた錠１５７が設けられている。当該錠１５７は、キー１５８を差し込んで回動することにより、下壁７０に設けられた被係合板１５９に係合して、蓋部材１５０を装置本体２に取り外し不能に取り付けることができる。蓋部材１５０が取り付けられると、蓋部材１５０がロック手段５０の操作片５３を押圧操作し、係止突起５２が弾性部材５６の弾性に抗して反係止方向に回動し、係止突起５２が回転盤３６のラック３９から外れ、回転盤３６は回転可能となる。
【００８０】
物品取出装置１は、上記構成からなり、正面側にコイン投入口１２０、コン返却押し釦１０４、操作部材８１、物品取出口７２が設けられ、背面側に管理室５の管理用開口６０と物品収納室３の出入用開口１６が設けられている。管理用開口６０と出入用開口１６は、蓋部材１５０によって塞がれている。錠１５７にキー１５８を差し込んでキー１５８を回動すると、錠１５７が被係合板１５９から外れ、蓋部材１５０を装置本体２から取り外すことができる（図３参照）。
【００８１】
蓋部材１５０を装置本体２から取り外すと、蓋部材１５０がロック手段５０の操作片５３を押圧操作しなくなるため、係止突起５２が弾性部材５６の弾性によって係止方向に回動し、係止突起５２が回転盤３６のラック３９を係止し、回転盤３６は回転不能となる。コイン収容ケース１１５にコインが溜まっている場合には、コイン収容ケース１１５を装置本体２の背面側の下部開口６４から後方に引き出してコインを取り出し、次にコイン収容ケース１１５を前方に押し込んで、コインセレクター収納部６２内に収納する。
【００８２】
物品収納室３の出入用開口１６から、安価な小玩具を内蔵したカプセル等の物品Ａ又はＢを収納する。大きな物品Ａの場合には操作部材３５を手前に引き、小さな物品Ｂの場合には操作部材３５を押し込む。操作部材３６を押し込むと、ガイド部材３０が凹部２３に沿って時計方向に回動し、ガイド突起３３が落下口２２を１／３程度塞ぐ（図４（ｂ），図７（ｂ）参照）。また、ガイド部材３０は、傾斜壁３１，３２が傾斜突起２６，２６の傾斜部２８，２８に案内されて上方に移動し、傾斜突起２６，２６の水平部２７に乗り上げる。このようにガイド部材３０が底壁６から突出するため、回転盤３６の収容孔３７によって案内される物品Ａ，Ｂの位置を高くすることができる。
【００８３】
操作部材３６を手前に引っ張ると、ガイド部材３０が凹部２３に沿って反時計方向に回動し、ガイド突起３３が落下口２２を開放する（図４（ａ），図７（ｂ）参照）。また、ガイド部材３０は、傾斜壁３１，３２が傾斜突起２６，２６の傾斜部２８，２８に案内されて下方に移動し、凹部２３内に収納される。このようにガイド部材３０が底壁６と同じ高さになるため、回転盤３６の収容孔３７によって案内される物品Ａ，Ｂの位置を低くすることができる。本実施の形態では、最初は、操作部材３６を手前に引っ張り、大きな物品Ａを出入用開口１６から物品収納室３に収納する。
【００８４】
コインセレクター収納部６２からコインセレクター１００を引き出すと、カバー部材１３６の係合部材１３９がコインセレクター１００の下部１４１に係合しなくなるため、カバー部材１３６が回動可能となる。装置本体２の背面側に位置する管理用開口６０（背面開口６８）から手を入れて、係合部材１３９を引き上げると、カバー部材１３６は開口１２６から外れ、回胴部１３０の表示部１３４が開口１２６から表出する。開口１２６から指を入れて回胴部１３０を回動し、物品Ａに対応した表示部１３４に変更する。係合部材１３９を引き下げると、カバー部材１３６が回胴部１３０を覆うようにして開口１２６を塞ぐように回動する。コインセレクター１００をコインセレクター収納部６２に収納すると、コインセレクター１００の入力傘歯車１０３が出力傘歯車９２と噛み合い、コインセレクター１００の下部１４１が係合部材１３９に係合し、カバー部材１３６が開口部１２６を塞いだ形で固定される。
【００８５】
蓋部材１５０の一対の係止爪１５６，１５６を正面壁６５の上端縁１４３に係止するようにして、蓋部材１５０によって管理用開口６０を塞ぐと、第１の蓋部１５１が背面開口６８を塞ぎ、第２の蓋部１５２が下部開口６４を塞ぎ、第３の蓋部１５３が物品収納室３の出入用開口１６を塞ぐ。蓋部材１５０の錠１５７にキー１５８を差し込んで回動することにより、蓋部材１５０が装置本体２に取り外し不能に取り付けられる。蓋部材１５０が取り付けられると、蓋部材１５０がロック手段５０の操作片５３を押圧操作し、係止突起５２が弾性部材５６の弾性に抗して反係止方向に回動し、係止突起５２が回転盤３６のラック３９から外れ、回転盤３６は回転可能となる。
【００８６】
物品取出装置１は、回胴部１３０の表示部１３４に従って、コイン投入口１２０を介してコイン挿入口１０２に所定枚数のコインを挿入すると、入力傘歯車１０３が回動可能となり、そのため、大平歯車８５、中間小歯車９３、小歯車９１、動力伝達軸９０、出力傘歯車９２、入力傘歯車１０３も回転可能となる。この状態で、操作部材８１を回転させると、操作部材８１の回転が、回転軸８３、ピン歯車８６、中間平歯車８７、駆動歯車８９、ラック３９を介して回転盤３６を所定回転させる。コイン挿入口１０２に所定枚数のコインが挿入されていない場合、又は不正コインが挿入されている場合には、入力傘歯車１０３が回動不能となり、そのため、大平歯車８５、中間小歯車９３、小歯車９１、動力伝達軸９０、出力傘歯車９２、入力傘歯車１０３も回転不能であるため、操作部材８１は回転しない。
【００８７】
回転盤３６が所定回転すると、回転盤３６の収容孔３７に収容された物品Ａが図７（ａ）に示すように、落下口２２の上部に運ばれて落下口２２に落下し、落下通路７１を転動して蓋体７７を押し開け、物品取出口７２から物品受け部７３に落下する。
【００８８】
物品収納室３に物品Ｂを収納する場合には、前述したように、錠１５７にキー１５８を差し込んでキー１５８を回動すると、錠１５７が被係合板１５９から外れ、蓋部材１５０を装置本体２から取り外すことができる（図３参照）。物品収納室３の出入用開口１６から、物品Ｂを収納する。小さな物品Ｂなので、操作部材３５を押し込む。操作部材３６を押し込むと、ガイド突起３３が落下口２２を１／３程度塞ぎ（図４（ｂ），図７（ｂ）参照）、ガイド部材３０が底壁６から突出する。回転盤３６の収容孔３７によって案内される物品Ｂの位置を高くすることができる。
【００８９】
コインセレクター収納部６２からコインセレクター１００を引き出し、カバー部材１３６を回動して、回胴部１３０の表示部１３４を開口１２６から表出させて物品Ｂに対応した表示部１３４に変更する。係合部材１３９を引き下げ、カバー部材１３６が回胴部１３０を覆うようにして開口１２６を塞ぎ、コインセレクター１００をコインセレクター収納部６２に収納して、コインセレクター１００の下部１４１を係合部材１３９に係合させ、カバー部材１３６が開口部１２６を塞いだ形で固定する。
【００９０】
蓋部材１５０によって管理用開口６０を塞ぐ。物品取出装置１は、回胴部１３０の表示部１３４に従って、コイン投入口１２０を介してコイン挿入口１０２に所定枚数のコインを挿入する。操作部材８１を回転させると、回転盤３６が所定回転し、回転盤３６の収容孔３７に収容された物品Ｂが図７（ｂ）に示すように、落下口２２の上部に運ばれて落下口２２に落下し、落下通路７１を転動して蓋体７７を押し開け、物品取出口７２から物品受け部７３に落下する。
【００９１】
回転盤３６とガイド部材３０の隙間Ｓ２が回転盤３６と底壁６の隙間Ｓ１より狭くなっているため、小さな物品Ｂであっても回転盤３６の下側に入り込むことがなく、物品Ｂはスムーズに落下口２２まで運ばれる。収容孔３７に物品Ｂが複数収納されている場合には、防止スプリング４６によって一つ以外が弾き出される。物品Ｂは、ガイド突起３３によって蓋体７７から離れた位置に落下せしめられ（図５参照）、蓋体７７の近くに落下するよりも勢いが付いて落下通路７１を転動して蓋体７７を押し開ける。そのため、物品Ａに較べて小さくて軽い物品Ｂであっても、蓋体７７によって、落下が阻止されなくなり、物品Ｂの詰まりを防止することができる。
【００９２】
【発明の効果】
以上説明してきたように、本願発明に係る物品取出装置は、コイン挿入口、物品取出口、操作部等のお客により使用される部分を装置本体の正面側に配置し、物品の補充、コインセレクターの管理、動力伝達手段の管理、コイン収容ケース等の店員により使用される部分を装置本体の背面側に配置し、店員と客の間に置かれ、店員と客が対面しつつ使用するのに特に適した構成にすることができるという効果がある。
【００９３】
本願発明に係る物品取出装置は、コインセレクターを収納する管理室を、カプセル等の物品を収納する物品収納室の側部に設け、管理室に、物品取出口、操作部、コイン挿入口、コイン収容ケースを引き出すことができる管理用開口、管理用開口を開閉する蓋部材を設けたので、コンパクトにすることができるという効果がある。従って、小さなお店等の狭いスペースに置くことができ、置き場所に困ることが少なくなるという効果がある。
【００９４】
本願発明に係る物品取出装置は、カプセル等の物品を収納する物品収納室に物品を出し入れする出入用開口を形成し、動力伝達手段及びコインセレクターを収納する管理室に動力伝達手段を管理すると共にコイン収容ケースを引き出すことができる管理用開口を形成し、この出入用開口と管理用開口を開閉する蓋部材を設けたので、蓋部材に一つの鍵を取り付けるだけで対応することができ、管理が容易であるという効果がある。
【００９５】
本願発明に係る物品取出装置は、蓋部材を開くと回転盤を回転不能にロックし、蓋部材を閉じると回転盤を回転可能にロックを解除するロック手段が設けられているので、蓋部材を装置本体から外し、物品の出し入れ等の作業中に回転盤が不用意に回転することがないという効果がある。
【００９６】
本願発明に係る物品取出装置は、物品を収納する物品収納室の底壁に、回転盤の収容孔に収容された物品の高さ方向の位置を調節することができる高さ調節手段を設けたので、物品収納室内に収納される物品の大きさに合わせて物品の高さ方向の位置を調節することができ、比較的小さな物品が底壁と回転盤の間に挟まれて、回転盤の回転を阻止することがなく、物品をスムーズに落下口まで運ぶことができ、複数の物品が同時に落下口に落下するのを防止することができるという効果がある。
【００９７】
本願発明に係る物品取出装置は、物品を収納する物品収納室の底壁に、落下口から落下する物品の落下位置を調節することができる落下調節手段を設けたので、落下口から落下する物品の落下位置を開閉扉から離して落下通路に落下させ、物品に勢いを付けることができ、サイズの小さな軽い物品が開閉扉によって止まってしまうことを少なくすることができるという効果がある。
【００９８】
本願発明に係る物品取出装置は、物品を収納する物品収納室とコインセレクターを収納する管理室とを有し、装置本体の開口に、物品の値段、内容、コインの挿入枚数等を表示する表示部が設けられた回胴部を回動自在に設け、さらにこの開口から表出した回胴部の表示部を覆う、透過性素材で形成されたカバー部材を回動自在に設け、このカバー部材を、前記コインセレクターによって固定できるようにしたので、コインセレクターの収納時には、固定されたカバー部材によって表示部が不用意に変わってしまうのを防止することができ、コインセレクターの取り外し時にカバー部材の固定が解除され、回動して回胴部の表示部を露出させ、回胴部を回動して表示部を変えることができるという効果がある。
【図面の簡単な説明】
【図１】本願発明に係る物品取出装置の一つの実施の形態を示す正面側から視た全体斜視図である。
【図２】図１の一部透視図である。
【図３】図１の背面側から視た全体斜視図である。
【図４】高さ調節手段の動きを説明する説明図である。
【図５】落下位置調節手段の動きを説明する側面断面図である。
【図６】図４の要部説明図である。
【図７】図５の説明図である。
【図８】値段表示部の透明カバーを説明する側面断面図である。
【符号の説明】
Ａ  物品
Ｂ  物品
Ｓ  スペース
１  物品取出装置
２  装置本体
３  物品収納室（第１の収納室）
４  載置室
５  管理室（第２の収納室）
６  底壁
７  ガイド壁
８  開口
９  傾斜壁
１０  突縁
１１  垂直壁
１２  後壁
１３  凹部
１５  カバー体
１６  出入用開口（物品投入口）
１７  下端
２０  支軸
２１  フランジ
２２  落下口
２３  凹部
２５  底部
２６  傾斜突起
２７  水平部
２８  傾斜部
３０  ガイド部材（調節手段）
３１  傾斜壁
３２  傾斜壁
３３  ガイド突起
３５  操作部材
３６  回転盤（導出手段）
３７  収容孔
３９  ラック
４１  物品振り分け軸
４２  攪拌スプリング
４３  ネジ
４５  防止スプリング
４６  仕切壁
４７  長溝
５０  ロック手段
５１  軸受け部
５２  係止突起
５３  操作片
５５  開口
５６  弾性部材
６０  管理用開口
６１  載置部
６２  コインセレクター収納部
６３  右側壁
６４  下部開口
６５  正面壁
６６  垂直面
６７  下壁
６８  背面開口
６９  周壁
７０  下壁
７１  落下通路
７２  物品取出口
７３  物品受け部
７４  後部
７５  傾斜リブ
７６  軸受け凹部
７７  蓋体
７８  後部
７９  支軸
８０  係合縁
８１  操作部材（操作部）
８３  回転軸
８５  大平歯車
８６  ピン歯車
８７  中間平歯車
８９  駆動歯車
９０  動力伝達軸
９１  小歯車
９２  出力傘歯車
９３  中間小歯車
９５  動力伝達手段
１００  コインセレクター（コイン検出手段）
１０１  コインセレクター本体
１０２  コイン挿入口
１０３  入力傘歯車
１０４  コイン返却押し釦
１０５  係合軸
１０６  ガイド壁
１０７  係合溝
１０９  突片
１１０  係止爪
１１２  案内縁
１１５  コイン収容ケース
１１６  上端縁
１２０  コイン投入口
１２１  挿通孔
１２５  膨出部
１２６  開口
１２９  軸受け部
１３０  回胴部
１３１  中心軸
１３２  押圧部
１３３  弾性片
１３４  表示部
１３５  カバー部材
１３６  カバー部
１３７  側壁
１３８  凹部
１３９  係合部材
１４０  係合突起
１４１  下部
１４２  上端縁
１４３  上端縁
１５０  蓋部材（禁止扉）
１５１  第１の蓋部
１５２  第２の蓋部
１５３  第３の蓋部
１５６  係止爪
１５７  錠
１５８  キー
１５９  被係合板
【図１】
2005004647.tif 000003
【図２】
2005004647.tif 000004
【図３】
2005004647.tif 000005
【図４】
2005004647.tif 000006
【図５】
2005004647.tif 000007
【図６】
2005004647.tif 000008
【図７】
2005004647.tif 000009
【図８】
2005004647.tif 000010